(57)【要約】【課題】操作性を向上する。【解決手段】情報表示装置１０は、スライド操作可能な操作部３０と、操作部３０が操作されるごとに、予め順序が規定された表示対象を順番通りに表示する表示手段５と、を備え、操作部３０がスライド操作された場合、操作部３０の操作時のスライド量に応じて表示対象の送り方を変化させるようにした。【選択図】図３
2009282594.tif 000002
【特許請求の範囲】
【請求項１】
スライド操作可能な操作部と、
前記操作部が操作されるごとに、予め順序が規定された表示対象を順番通りに表示する表示手段と、を備え、
前記操作部がスライド操作された場合、前記操作部の操作時のスライド量に応じて表示対象の送り方を変化させる
ことを特徴とする情報表示装置。
【請求項２】
請求項１に記載の情報表示装置において、
前記スライド量が所定値以下の場合、予め順序が規定された順番通りに次の表示対象を表示し、前記スライド量が所定値をこえた場合には、前記操作部の操作時のスライド量に応じて表示対象を飛ばして、次の表示対象を表示する
ことを特徴とする情報表示装置。
【請求項３】
請求項２に記載の情報表示装置において、
前記操作部は、直線状に配列した複数のセンサを有し、各センサの検出値に基づいて前記スライド操作を検出することを特徴とする情報表示装置。
【発明の詳細な説明】
【技術分野】
【０００１】
本発明は、スライド操作可能な操作子を備えた情報表示装置に関する。
【背景技術】
【０００２】
一般に、車内等の空間が限定された場所に設置される車載装置においては、装置本体の大きさが制約されるため、多数の操作キーからなるキーボードを文字等の情報入力のための操作部として用いることは現実的ではない。
そこで、文字を１文字ずつ表示する液晶パネルと、表示文字を五十音順やアルファベット順といった所定の順番で順送り又は逆送りするためのＵＰ／ＤＯＷＮキーを操作子として備え、ＵＰ／ＤＯＷＮキーが押されるごとに表示文字を１文字ずつ順番に切り替えて循環的に表示する情報表示装置が提案されている。この情報表示装置によれば、文字ごとに操作キーが必要ないため、少ない操作キーで情報入力が可能になる（例えば、特許文献１参照）。
【０００３】
しかしながら、操作キーをＵＰ／ＤＯＷＮキーだけとすると、現表示の文字から順番の遠い文字を表示させる場合、その文字に到達するまで何度もＵＰ／ＤＯＷＮキーを押さなければならない。そこで、この種のものでは、例えば、１回操作されるごとに「あ」→「か」→「さ」・・・といったように、互いに一定の文字数だけ離間した規定の文字（「境界文字」と言う）を表示し、数文字を一度に飛ばして表示可能とする早送り／早戻しキーが別途に設けられ、少ない操作回数で所望の文字に到達できるようになっている。
【特許文献１】特開２０００−１９５２３０号公報
【発明の開示】
【発明が解決しようとする課題】
【０００４】
しかしながら、従来の技術においては、所望の文字の近傍に近づくまで早送り／早戻し操作を行い、その後、操作キーを１文字送りであるＵＰ／ＤＯＷＮキーに切り替えて操作を行うといったように、複数の操作キーを使い分けることで、所望の文字に辿り着く時間は早くなるものの、複数の操作キーを操作する手間に対して、その効果は小さい。
そこで、本発明の目的は、上述した従来の技術が有する課題を解消し、操作性を向上した情報表示装置を提供することにある。
【課題を解決するための手段】
【０００５】
上記課題を解決するため、本発明の情報表示装置は、スライド操作可能な操作部と、前記操作部が操作されるごとに、予め順序が規定された表示対象を順番通りに表示する表示手段と、を備え、前記操作部がスライド操作された場合、前記操作部の操作時のスライド量に応じて表示対象の送り方を変化させることを特徴とする。
【０００６】
また本発明は、上記の情報表示装置において、前記スライド量が所定値以下の場合、予め順序が規定された順番通りに次の表示対象を表示し、前記スライド量が所定値をこえた場合には、前記操作部の操作時のスライド量に応じて表示対象を飛ばして、次の表示対象を表示することを特徴とする。
【０００７】
また本発明は、上記の情報表示装置において、前記操作部は、直線状に配列した複数のセンサを有し、各センサの検出値に基づいて前記スライド操作を検出することを特徴とする。
【発明の効果】
【０００８】
本発明によれば、操作部がスライド操作された場合、操作部の操作時のスライド量に応じて表示対象の送り方を変化させる構成としたため、単一の操作部に対し、スライド操作のスライド量を変えるだけで、表示対象の送り方を変更することができるので、操作性が向上する。
【発明を実施するための最良の形態】
【０００９】
以下、図面を参照して本発明の好適な実施の形態について説明する。
〔第一の実施の形態〕
図１は、本発明の第一の実施の形態に係る情報表示装置が設けられたカーステレオを示す斜視図である。
カーステレオ１は、自動車のインストルメントパネル（不図示）に取り付けられるステレオ本体２を有する。
このステレオ本体２の前面には、操作パネル３が設けられ、この操作パネル３には、操作子としての少なくとも１つ（本実施の形態では、一対）のスライド操作部３０と、表示部としての液晶パネル（表示手段）５と、スライド操作部３０及び液晶パネル５上に設けられた表面パネル６とが配設されている。この液晶パネル５には、例えば、再生中の楽曲のタイトル、演奏時間、アーティスト名等の楽曲情報や、現在の音量が表示される他、文字を入力するための文字入力画面が表示される。これら液晶パネル５とスライド操作部３０とを備えて情報表示装置１０が構成されている。
なお、カーステレオ１には、スライド操作部３０の他にも、カーステレオ１を操作する図示しない各種操作部が設けられている。
【００１０】
図２は、スライド操作部３０の縦断面図である。
スライド操作部３０は、操作パネル３の内側に設けられたパネル基板３１と、このパネル基板３１上に直線上に略等間隔に配列された３つ以上（本実施の形態では、３つ）の非接触センサ３２Ａ〜３２Ｃとを有して構成され、操作パネル３には、これら非接触センサ３２Ａ〜３２Ｃの対向箇所に上下に延びた検出窓３３が設けられている。
上記非接触センサ３２Ａ〜３２Ｃの各々は、検出窓３３に接近した操作指までの距離を検出する距離センサであり、カーステレオ１は、非接触センサ３２Ａ〜３２Ｃのそれぞれが検出した操作指までの距離Ｌ１、Ｌ２、及びＬ３（検出値）に基づいて、操作指の上下移動によるスライド操作を検出する。
【００１１】
このように、非接触センサ３２Ａ〜３２Ｃは、スライド操作部３０上の表面パネル６の表面でなくても、それに近い位置でのスライド操作を検出することができるので、ユーザは、スライド操作部３０のだいたいの位置を把握すれば、スライド操作部３０を直接見なくともスライド操作をすることができる。特に、運転者が運転中にスライド操作を行う場合には、スライド操作部３０を直接見なくてもスライド操作を行えるため、視点の移動量が抑えられ安全である。
【００１２】
図３は、カーステレオ１の機能的構成のうち、上記情報表示装置１０に係る主要な部分を示すブロック図である。
情報表示装置１０は、上述した一対のスライド操作部３０と、制御部４０と、上記液晶パネル５とを備えている。
制御部４０は、カーステレオ１の各部を中枢的に制御するとともに、上記液晶パネル５の表示を制御する表示制御部として機能するものであり、この制御部４０には、スライド操作部３０が備える非接触センサ３２Ａ〜３２Ｃの各々の検出信号が入力されることで、制御部４０は、これらの検出信号に基づいて、操作指によるスライド操作を検出可能に構成されている。
さらに詳述すると、制御部４０は、非接触センサ３２Ａ〜３２Ｃの各々の検出信号に基づいて、各非接触センサ３２Ａ〜３２Ｃから操作指までの距離Ｌ１〜Ｌ３（図２参照）を求めて操作指の位置を特定し、その後の距離Ｌ１〜Ｌ３の変化に基づいて、操作指のスライド量（移動量）、及びスライド方向を算出する。
【００１３】
本発明の制御部４０は、１つのスライド操作部３０に設けられる非接触センサの個数をＮとして、算出したスライド量をＮ−１個のブロックに分けてスライド量を区別する。すなわち、スライド量は、隣り合う２つの非接触センサを通るようにユーザが指を移動させた場合、隣り合う３つの非接触センサを通るようにユーザが指を移動させた場合、…隣り合うＮ−１個の非接触センサを通るようにユーザが指を移動させた場合のブロックに区別される。
【００１４】
本実施の形態では、１つのスライド操作部３０に３つの非接触センサ３２Ａ〜３２Ｃが設けられており、ブロックの数は２つになるので、制御部４０は、２つのブロックを「小距離移動」及び「大距離移動」としてスライド量を区別している。ここで、小距離移動とは、図４に示すように、隣り合う２つの非接触センサ３２Ａ、３２Ｂ、あるいは、非接触センサ３２Ｂ、３２Ｃを通るようにユーザが指を移動させて、スライド量が所定値よりも小さくなる場合であり、また、大距離移動とは、図５に示すように、３つの非接触センサ３２Ａ、３２Ｂを通るようにユーザが指を移動させて、スライド量が所定値よりも大きくなる場合である。
【００１５】
さらに、本発明の制御部４０は、区別したＮ−１個のブロックに「押圧」の場合を加えたＮ種類のパターンの判定を行う。ここで「押圧」とは、ユーザが指でスライド操作部３０上の表面パネル６を押す操作であり、一旦押してすぐ離した場合（単押し）、及び、押し続ける場合（長押し）を含む。本実施の形態では、３つの非接触センサ３２Ａ〜３２Ｃが設けられているため、パターンは、「小距離移動」、「大距離移動」及び「押圧」の３つになる。
【００１６】
制御部４０は、これら３つのパターンに基づいて、液晶パネル５（図１参照）に表示する表示対象の送り方を変更する。すなわち、制御部４０は、小距離移動の場合は、表示対象を１つ送り、大距離移動の場合は、表示対象を複数（本実施の形態では、４つ）飛ばして表示する。また、押圧の場合においては、制御部４０は、一番上に配置される非接触センサ３２Ａ上の押圧の場合は、表示対象を１桁順方向に移動し、一番下に配置される非接触センサ３２Ｃ上の押圧の場合は、表示対象を１桁逆方向に移動し、中央に配置される非接触センサ３２Ｂ上の押圧の場合は、表示対象を確定する。
【００１７】
また、上記制御部４０は、算出したスライド方向に応じて、液晶パネル５に表示する表示対象の切り替え順序を順方向又は逆方向に変化させる。具体的には、制御部４０は、指がスライド操作部３０上を上から下にかけて移動した場合には、液晶パネル５に表示する表示対象を順方向に送り、これとは逆に、指がスライド操作部３０上を下から上にかけて移動した場合には、表示対象を逆方向に送る。
【００１８】
以下、表示対象が文字の場合を例に、詳細に説明する。
例えば、ユーザが楽曲のタイトルを入力又は編集する際には、液晶パネル５に表示される所定の操作部（不図示）を操作し、液晶パネル５に文字入力画面を表示させる。
図６に、文字入力画面が表示されたカーステレオ１を例示する。文字入力画面においては、液晶パネル５の略中央に文字入力部２１が表示され、この文字入力部２１は、複数の文字を入力できるよう構成されている。図６に示す液晶パネル５には、入力できる文字数のうち６つの入力桁２１Ａ〜２１Ｆが表示されているが、液晶パネル５に表示される入力桁２１Ａ〜２１Ｆの数は特に限定されるものではない。
【００１９】
入力桁２１Ｅは、入力位置を示すカーソル２２が配置されることで、他の入力桁２１Ａ〜２１Ｄ、２１Ｆと比べると強調されて表示されており、入力位置とする入力桁２１Ｅには、文字の候補（表示対象）が表示される。この文字の候補は、かな、カタカナ、アルファベット、数字、記号という文字種毎に、候補として表示される文字とその順序が決められており、それぞれの文字種で、最後の文字の次に最初の文字が指定されている。
この文字の入力位置は、カーソル２２を移動させることで指定することができる。例えば、一方のスライド操作部３０において、一番上に配置される非接触センサ３２Ａ上の表面パネル６をユーザが指で押圧すると、カーソル２２が右側に１つ移動し、逆に、一番下に配置される非接触センサ３２Ｃ上の表面パネル６をユーザが指で押圧すると、カーソル２２が左側に１つ移動する。
【００２０】
また、入力する文字を選択する際には、一方のスライド操作部３０をスライド操作することで、入力位置に表示される文字が所定の順序にて切り替えられる。このとき、スライド操作部３０の操作時のスライド量に応じて表示対象の送り方が変更される。
具体的には、図４に示すように、３つの非接触センサ３２Ａ〜３２Ｃのうち、隣り合う２つの非接触センサ３２Ａ、３２Ｂ、あるいは、非接触センサ３２Ｂ、３２Ｃを通るようにユーザが指を上から下に移動させた場合は、スライド量は小距離移動となる。入力位置に表示される文字の候補は、例えば、かな５０音で言えば、図７の表示切替態様Ａに示すように、「あ」→「い」に順方向に１文字送られる。そして、ユーザが指を２つの非接触センサ３２Ａ、３２Ｂを通るように上から下に移動させる度に、入力位置に表示される文字の候補は、「い」→「う」→「え」と、順方向に１文字ずつ送られる。
これとは逆に、ユーザが指を２つの非接触センサ３２Ａ、３２Ｂを通るように下から上に移動させる度に、図７の表示切替態様Ｂに示すように、入力位置に表示される文字の候補は、「え」→「う」→「い」と、逆方向に１文字ずつ送られる。
【００２１】
一方、図５に示すように、３つの非接触センサ３２Ａ〜３２Ｃを通るようにユーザが指を上から下に移動させた場合は、スライド量は大距離移動となる。入力位置に表示される文字の候補は、例えば、かな５０音で言えば、図７の表示切替態様Ｃにおいて実線矢印で示すように、「あ」→「か」と順方向に４文字飛ばして表示される。そして、ユーザが指を３つの非接触センサ３２Ａ〜３２Ｃを通るように上から下に移動させる度に、入力位置に表示される文字の候補は、「か」→「さ」→「た」と、順方向に４文字ずつ飛ばして表示される。
これとは逆に、ユーザが指を３つの非接触センサ３２Ａ〜３２Ｃを通るように下から上に移動させる度に、図７の表示切替態様Ｄにおいて実線矢印で示すように、入力位置に表示される文字の候補は、「た」→「さ」→「か」と、逆方向に４文字ずつ飛ばして表示される。
【００２２】
このように、入力位置に表示される文字の候補から所望の文字までの遠さを判断し、所望の文字の近傍に近づくまではスライド量を大きくして文字の候補を飛ばし、その後、スライド量を小さくして文字の候補を１文字ずつ切り替えることにより、文字の候補を１文字ずつ切り替えるだけの場合に比べ、少ない操作回数で所望の文字に到達でき、また、所望の文字に到達する時間を短縮することができる。
【００２３】
また、スライド操作部３０上で指のスライド量を大きくすると、一度に飛ばす文字の切り替え量も多くなり、スライド量と切り替え量が相対的な関係にあるので、ユーザは、指のスライド量を直感的に調節することができ、その結果、所望の文字に容易に到達することができる。
さらに、入力位置に表示される文字を、その文字からみて所望の文字に近い方向に切り替えるように、スライド操作部３０上でスライド操作の方向を変えることにより、文字の候補を１方向に切り替える場合に比べ、少ない操作回数で所望の文字に到達でき、また、所望の文字に到達する時間を短縮することができる。
【００２４】
なお、入力位置に表示されている文字の候補が、例えば「う」である場合、ユーザが指を３つの非接触センサ３２Ａ〜３２Ｃを通るように上から下に移動させる度に、入力位置に表示される文字の候補は、図７の表示切替態様Ｃにおいて点線矢印で示すように、「う」→「く」→「す」と、表示されている文字から順方向に４文字ずつ飛ばして表示される。これとは逆に、ユーザが指を３つの非接触センサ３２Ａ〜３２Ｃを通るように下から上に移動させる度に、入力位置に表示される文字の候補は、図７の表示切替態様Ｄにおいて点線矢印で示すように、「す」→「く」→「う」と、表示されている文字から逆方向に４文字ずつ飛ばして表示される。
【００２５】
ところで、従来のように、例えば、早送りキーを１回操作するごとに「あ」→「か」→「さ」・・・といったように、互いに一定の文字数だけ離間した規定の文字（「境界文字」と言う）を切り替えても、境界文字から離れた文字を選択する場合には、所望の文字が表示されるまでに何度もキーを押さなければならず時間や手間がかかる。
本実施の形態では、スライド量が大距離移動となるようにスライド操作するごとに、現在表示されている文字の候補から４文字ずつ飛ばして表示することができるので、文字の候補を境界文字ごとに切り替える場合に比べ、少ない操作で所望の文字に到達でき、また、所望の文字に到達する時間を短縮することができる。
【００２６】
そして、入力位置に所望の文字が表示された場合には、中央に配置される非接触センサ３２Ｂ上のスライド操作部３０を押圧することにより、入力位置に表示された文字が確定される。
このように、単一のスライド操作部３０だけで、入力位置の選択、文字の候補の切り替え及びその切り替え量の変更、文字の候補の切り替え順序の変更、文字の確定等の全操作を行うことができるので、所望の文字を選択する操作が簡便になり、操作性が向上する。
【００２７】
図８は、文字の候補を順次切り替えて表示するための表示切替処理を示すフローチャートである。
制御部４０は、操作部が操作された場合（ステップＳ１：Ｙ）、制御部４０は、その操作がスライド操作部３０の操作か否か判別する（ステップＳ２）。その操作がスライド操作部３０以外の操作部での操作の場合（ステップＳ２：Ｎ）、制御部４０は、操作された操作部に対応する処理を実施して（ステップＳ３）、処理を終了する。なお、ステップＳ３の処理には、入力位置に表示されている文字を確定する処理も含まれる。
【００２８】
その操作がスライド操作部３０での操作の場合（ステップＳ２：Ｙ）、制御部４０は、その操作のスライド量が所定値未満か否か判別する（ステップＳ４）。スライド量が所定値未満の場合（ステップＳ４：Ｙ）、制御部４０は、スライド方向が下方向か否か判別する（ステップＳ５）。スライド方向が下方向の場合（ステップＳ５：Ｙ）、制御部４０は、表示する文字の候補を順方向に１文字送り（ステップＳ６）、処理をステップＳ１へ移行する。スライド方向が上方向の場合（ステップＳ５：Ｎ）、制御部４０は、表示する文字の候補を逆方向に１文字送り（ステップＳ７）、処理をステップＳ１へ移行する。
【００２９】
スライド量が所定値以上の場合（ステップＳ４：Ｎ）、制御部４０は、スライド方向が下方向か否か判別する（ステップＳ８）。スライド方向が下方向の場合（ステップＳ８：Ｙ）、制御部４０は、表示する文字の候補を順方向に４文字飛ばして表示し（ステップＳ９）、処理をステップＳ１へ移行する。スライド方向が上方向の場合（ステップＳ８：Ｎ）、制御部４０は、表示する文字の候補を逆方向に４文字飛ばして表示し（ステップＳ１０）、処理をステップＳ１へ移行する。
【００３０】
以上説明したように、本実施の形態によれば、制御部４０は、スライド操作部３０がスライド操作された場合、スライド操作部３０の操作時のスライド量に応じて表示対象の送り方を変化させる構成としたため、単一のスライド操作部３０に対し、スライド操作のスライド量を変えるだけで、表示対象の送り方を変更することができるので、操作性が向上する。
また、スライド操作部３０上で指のスライド量を大きくすると、表示対象の切り替え量も多くなり、スライド量と切り替え量が相対的な関係にあるので、指のスライド量を直感的に調節することができ、その結果、所望の表示対象に容易に到達することができる。
さらに、現在表示されている表示対象から複数個ずつ飛ばして表示することができるので、表示対象を、互いに一定の数だけ離間した規定の表示対象（例えば、境界文字）ごとに切り替える場合に比べ、少ない操作回数で所望の表示対象に到達でき、また、所望の表示対象に到達する時間を短縮することができる。
【００３１】
また、本実施の形態によれば、制御部４０は、スライド方向に応じて、表示対象の切り替え順序を順方向又は逆方向に変化させる構成としたため、表示対象をその表示対象からみて所望の表示対象に近い方向に切り替えるように、スライド操作部３０上でスライド操作の方向を変えることにより、表示対象を１方向に切り替える場合に比べ、少ない操作回数で所望の表示対象に到達でき、また、所望の表示対象に到達する時間を短縮することができる。
また、単一のスライド操作部３０に対しスライド操作するだけで、表示対象を所望の表示対象に切り替えることができるので、操作性が向上する。さらに、入力位置の指定や所望の表示対象の確定も、スライド操作部３０での操作により行うことができるので、操作性をより向上することができる。
【００３２】
また、本実施の形態によれば、スライド操作時のスライド量が小さい間は、表示対象を１個ずつ順番に表示する構成とし、スライド量が大きくなった場合に、そのスライド量に応じて表示対象を複数（本実施形態では、４文字）飛ばして表示する構成とした。この構成により、表示対象を１個ずつ細かく移動させる場合には、通常のスライド操作を行い、また、大きく移動させる場合には、スライド操作時のスライド量を大きくすれば良いため、１個ずつの表示対象の選択と、複数個飛ばしての選択とを簡単に使い分けることができ、操作性をより向上させることができる。
【００３３】
また、本実施の形態によれば、スライド操作部３０に設けた複数の非接触センサ３２Ａ〜３２Ｃがスライド操作部３０のスライド操作を検出する構成としたため、スライド操作部３０上の表面パネル６の表面でなくても、それに近い位置でのスライド操作を検出することができるので、ユーザは、スライド操作部３０のだいたいの位置を把握すれば、スライド操作部３０を直接見なくともスライド操作をすることができる。特に、運転者が運転中にスライド操作を行う場合には、スライド操作部３０を直接見なくてもスライド操作を行えるため、視点の移動量が抑えられ安全である。
【００３４】
〔第二の実施の形態〕
上述した実施形態では、入力位置に表示する表示対象は１文字であった。本実施の形態では、表示対象として複数文字からなる単語が表示される。
以下、本発明の情報表示装置を設けたカーナビゲーションシステム機能を有する車載装置を例に説明する。
但し、本実施の形態の情報表示装置は、第一の実施の形態で説明した情報表示装置１０と略同様の構成を有するため、ここでは、情報表示装置１０と同様の構成については同一の符号を用いて説明を省略する。
【００３５】
図９は、入力位置に表示する表示対象を都道府県名とした場合の表示対象の切り替え順序を示す図である。表示対象とする都道府県名は、５０音順に予め順番が決められている。入力位置に表示する都道府県名を切り替える場合、スライド量が小距離移動となるようにスライド操作する度に、入力位置に表示される都道府県名は、図９の表示切替態様Ｅに示すように、「あ：愛知」→「あ：青森」→「あ：秋田」と１都道府県ずつ送られる。一方、スライド量が大距離移動となる場合には、入力位置に表示される都道府県名は、図９の表示切替態様Ｆに示すように、「あ：愛知」→「い：石川」→「え：愛媛」→「お：大分」と、５０音順の各文字の先頭に来る都道府県名のみに順番に飛ばして表示される。
さらに、本実施の形態では、都道府県名に限らず施設名等が表示対象として変更される。
【００３６】
本実施の形態によれば、制御部４０は、スライド操作部３０がスライド操作された場合、スライド操作部３０の操作時のスライド量に応じて表示対象の送り方を、表示対象を１つずつ送る態様、あるいは、表示対象を５０音順の各文字の先頭に来る表示対象に飛ばして表示する態様に変化させる構成としたため、単一のスライド操作部３０に対し、スライド操作のスライド量を変えるだけで、表示対象の送り方を変更することができるので、操作性が向上する。
【００３７】
なお、上述した実施形態は、あくまでも本発明の一態様を示すものであり、本発明の範囲内で任意に変形及び応用が可能である。
例えば、上述した実施形態では、表示対象を切り替える際には、一方のスライド操作部３０のみが操作されていたが、２つのスライド操作部３０のうち一方（例えば、左側）を文字の入力位置の指定に用い、他方（例えば、右側）を入力する文字の選択に用いる構成としてもよい。
【００３８】
また、上述した実施形態では、３つの非接触センサ３２Ａ〜３２Ｃを設けていたため、スライド量は、表示対象を１つ切り替える場合と表示対象を複数（上記実施の形態では、５つ）飛ばして表示する場合との２つのブロックに区別されていたが、非接触センサの数を増やし、スライド量を細かく検出可能にして、スライド量を区別するブロックの数を増やしてもよい。この場合、制御部は、ブロック数に応じて一度に飛ばす表示対象の割合を増やすようにすればよく、例えば、非接触センサを４つ設けたときには、算出したスライド量を、表示対象を１つ切り替える場合と、表示対象を５つ飛ばして表示する場合と、表示対象を８つ飛ばして表示する場合との３つのブロックに区別する。
【００３９】
また、上述した実施形態では、スライド操作部３０は、上下にスライド操作できるよう縦方向に設けられているが、左右にスライド操作できるよう横方向に設けられてもよい。
図１０は、他の実施の形態に係わるカーステレオ１００の一例を示す正面図である。
カーステレオ１００は、上述したカーステレオ１００と同様に、カーステレオ本体１０２と操作パネル１０３を備え、操作パネル１０３には、左右に延びるスライド操作部１３０と、液晶パネル（表示手段）１０５と、スライド操作部１３０及び液晶パネル１０５上に装備された表面パネル１０６とが設けられている。これらスライド操作部１３０と液晶パネル１０５とを備えて情報表示装置１１０が構成されている。操作パネル１０３の内部に設けられる複数（例えば、５つ）の非接触センサ１３２Ａ〜１３２Ｅは、スライド操作部１３０に沿って直線上に略等間隔に配列されている。なお、図１０に示すスライド操作部１３０は、液晶パネル１０５の下方に設けられているが、液晶パネル１０５の上方に設けられてもよい。
【００４０】
また、上述した実施形態では、カーステレオ１に設けられる情報表示装置１０を例に挙げて説明したが、車載装置に限らず、例えば携帯電話機や、ＰＤＡ、ノート型パソコン等の携帯型の電子機器、或いは、据え置き型のステレオ、テレビ等の据え置き型の電子機器にも本発明を適用してもよい。
【図面の簡単な説明】
【００４１】
【図１】本発明の実施の形態に係るカーステレオを示す斜視図である。
【図２】スライド操作部の縦断面図である。
【図３】情報表示装置の機能的構成を示すブロック図である。
【図４】スライド量が小距離移動の場合のスライド操作の態様を示す図である。
【図５】スライド量が大距離移動の場合のスライド操作の態様を示す図である。
【図６】文字入力画面が表示されたカーステレオの正面図である。
【図７】表示対象をかな５０音とした場合の切り替え順序を示す図である。
【図８】表示切替処理のフローチャートである。
【図９】表示対象を都道府県名とした場合の表示対象の切り替え順序を示す図である。
【図１０】他の実施の形態に係るカーステレオを示す正面図である。
【符号の説明】
【００４２】
１  カーステレオ
５  液晶パネル（表示手段）
６  表面パネル
１０  情報表示装置
３０  スライド操作部（操作部）
３２Ａ〜３２Ｃ  非接触センサ
４０  制御部
Ｌ１〜Ｌ３  距離（検出値）
【図１】
2009282594.tif 000003
【図２】
2009282594.tif 000004
【図３】
2009282594.tif 000005
【図４】
2009282594.tif 000006
【図５】
2009282594.tif 000007
【図６】
2009282594.tif 000008
【図７】
2009282594.tif 000009
【図８】
2009282594.tif 000010
【図９】
2009282594.tif 000011
【図１０】
2009282594.tif 000012